(57)【要約】【課題】什器等に配線カバーを強固にかつ安定的に取付けることができるとともに、構成を簡略化でき、さらに体裁を良好に保持できる配線カバー取付構造を提供する。【解決手段】什器等の被取付面２ａにあり溝条の取付溝７を設け、この取付溝７の奥部に取付板１０を嵌合し、この取付板１０の両側部を、取付溝７における開口８の両側部の内側に係止させて、取付板１０に設けたねじ孔１２に螺合する固定ねじ１３の先端を、取付溝７の底面に圧接させることにより、取付板１０を、取付溝７の底面との間に空間２４を形成するようにして、取付溝７内に止着し、配線カバー４に設けた下向鉤形の係止片１９ａを、取付板１０における取付溝７の開口８より露呈する部分に設けた係合孔２５を通して、空間２４まで嵌合し、かつ係止片１９ａを係合孔２５の下縁に係止する。【選択図】図３
2011151907.tif 000002
【特許請求の範囲】
【請求項１】
内部に配線挿通空間を有する上下方向を向く配線カバーを取付けようとする什器等の被取付面に、開口の幅より奥部の幅を大とした上下方向を向く取付溝を設け、この取付溝の奥部に、取付溝の開口の幅より幅を大とした上下方向を向く取付板を嵌合し、この取付板の両側部を、前記取付溝における開口の両側部の内側に係止させて、取付板に設けたねじ孔に螺合する固定ねじの先端を、取付溝の底面に圧接させることにより、前記取付板を、取付溝の底面との間に空間を形成するようにして、取付溝内に止着し、前記配線カバーに設けた下向鉤形の係止片を、前記取付板における取付溝の開口より露呈する部分に設けた係合孔を通して、前記空間まで嵌合し、かつ前記係止片を係合孔の下縁に係止したことを特徴とする配線カバー取付構造。
【請求項２】
取付板の両側縁より互いに内方を向く１対の切欠きを設け、両切欠きにおける取付溝の開口より露呈する部分により係合孔を形成し、両係合孔に、配線カバーに設けた１対の下向鉤形の係止片を嵌合係止した請求項１記載の配線カバー取付構造。
【請求項３】
固定ねじの頭部の外径を、取付溝の開口の幅とほぼ同一か、またはわずかに小とした請求項１または２記載の配線カバー取付構造。
【請求項４】
取付板の上端に、什器等における取付溝の上端の開口縁に係合する係止片を設けた請求項１〜３のいずれかに記載の配線カバー取付構造。
【発明の詳細な説明】
【技術分野】
【０００１】
本発明は、什器等に電源線や通信線等を配設する場合に好適な配線カバー取付構造に関する。
【背景技術】
【０００２】
オフィス等の執務空間においては、執務空間内を複数の空間に区画するための空間形成用什器が配設されている場合が多くみられる。このような空間形成用什器としては、什器を簡易かつ安価でありながら強固なものとするため、床面に立設した複数の支柱の上端同士を互いに連結したものが多い。
【０００３】
これらの空間形成用什器においては、区画された空間の使い勝手を良好とするため、ディスプレイやプロジェクター、照明装置等の機器が設置可能に構成されているのが望ましい。この際、空間形成用什器において上記機器に接続される電源線、通信線等の配線は、空間形成用什器に設けられた配線用空間内に収容可能に構成されているのが好ましい。これによって、空間形成用什器に電源線、通信線等の配線を配設した場合でも、体裁を良好に保つことができるとともに、その使い勝手を良好にできる。
【０００４】
従来、このような空間形成什器における配線用空間の形成方法として、空間形成用什器の構成部材である支柱の長手方向に沿って凹溝を形成し、この凹溝内部を配線用空間とするとともに、凹溝の開口部を閉塞カバーによって閉塞する構造が知られている。この構造によれば、簡易な構造でありながら、配線が外部に露呈することがなく、体裁を良好に保持できるが、支柱内部に配線を収容しなければならないため、配線用空間の広さが限られてしまい大容量の配線を配設するのが困難である。
【０００５】
このような問題を解決するため、従来、空間形成用什器における構成部材の上下方向に延びる凹溝を利用して、この凹溝に沿って延びる配線ダクトを取付ける技術が提案されている（例えば、特許文献１参照)。
【先行技術文献】
【特許文献】
【０００６】
【特許文献１】特開２００７−１３００９７号公報
【発明の概要】
【発明が解決しようとする課題】
【０００７】
しかし、特許文献１に記載されているものにおいては、配線ダクトが空間形成用什器の構成部材から不用意に脱落しないようにするため、配線ダクトを空間形成用什器に強固に、かつ安定的に取付ける必要があることから、配線ダクトの取付構造が複雑になり、しかも体裁が悪いという問題がある。このような問題は、空間形成用什器に限らず、各種の什器等に電源線や通信線等を配設する際に同様に発生する。
【０００８】
本発明は、このような従来の課題を解決するためになされたものであり、什器等に配線カバーを強固に、かつ安定的に取付けることができるとともに、構成を簡略化でき、さらに体裁を良好にできる配線カバー取付構造を提供することを目的としている。
【課題を解決するための手段】
【０００９】
本発明によると、上記課題は、次のようにして解決される。
（１）内部に配線挿通空間を有する上下方向を向く配線カバーを取付けようとする什器等の被取付面に、開口の幅より奥部の幅を大とした上下方向を向く取付溝を設け、この取付溝の奥部に、取付溝の開口の幅より幅を大とした上下方向を向く取付板を嵌合し、この取付板の両側部を、前記取付溝における開口の両側部の内側に係止させて、取付板に設けたねじ孔に螺合する固定ねじの先端を、取付溝の底面に圧接させることにより、前記取付板を、取付溝の底面との間に空間を形成するようにして、取付溝内に止着し、前記配線カバーに設けた下向鉤形の係止片を、前記取付板における取付溝の開口より露呈する部分に設けた係合孔を通して、前記空間まで嵌合し、かつ前記係止片を係合孔の下縁に係止する。
【００１０】
このような構成とすると、什器等の被取付面に設けられた取付溝に取付板を嵌合し、配線カバーの下向鉤形の係止片を取付溝から露呈する取付板の係合孔の下縁に係止させるという簡単な構成で、配線カバーを什器等の被取付面に強固にかつ安定的に取付けることができる。また、被取付面に配線カバーを取付けるための特別な加工を施す必要がないので、加工工数およびコストを削減できるとともに、配線カバーの取付、取外しのいずれの状態においても体裁をよくすることができる。また、固定ねじを取付板のねじ孔に螺合して締め付けることにより、取付溝の底面と取付板との間に空間を形成することができ、この空間を利用して、配線カバーの係止片を係止できるので、好都合である。
【００１１】
（２）上記(１)項において、取付板の両側縁より互いに内方を向く１対の切欠きを設け、両切欠きにおける取付溝の開口より露呈する部分により係合孔を形成し、両係合孔に、配線カバーに設けた１対の下向鉤形の係止片を嵌合係止する。
【００１２】
このような構成とすると、取付板の左右両側からそれぞれ内方に向かう１対の切欠きに、配線カバーの両側に設けた係止片が係止されるので、より安定的に配線カバーを什器等に対して強固かつ安定的に取付けることができるだけでなく、取付板の加工を簡略化することができる。。
【００１３】
（３）上記(１)または(２)項において、固定ねじの頭部の外径を、取付溝の開口の幅とほぼ同一か、またはわずかに小とする。
【００１４】
このような構成とすると、取付溝内における取付板の幅方向の位置決めを固定ねじの取付によって行うことができるので、施工性を良好にできる。
【００１５】
（４）上記(１)〜(３)項のいずれかにおいて、取付板の上端に、什器等における取付溝の上端の開口縁に係合する係止片を設ける。
【００１６】
このような構成とすると、取付板を取付溝に挿入するだけで、取付板の上端の係止片が取付溝の上端の開口縁に係止され、取付板の上下方向の位置決めを行うことができ、施工性が向上するだけでなく、係止片が取付溝の上端に係止することにより、取付板の加工を確実に阻止することができる。
【発明の効果】
【００１７】
本発明によると、什器等の取付溝に止着した取付板に形成された係合孔に、配線カバーの下向鉤形の係止片を係止させるという簡単な構成で、配線カバーを什器等の被取付面に強固にかつ安定的に取付けることができる。また、什器等の被取付面に配線カバーを取付けるための特別な加工を施す必要がないので、加工工数およびコストを削減できるとともに、配線カバーの取付、取外しのいずれの状態においても体裁をよくすることができる。
【図面の簡単な説明】
【００１８】
【図１】本発明の配線カバー取付構造の一実施形態を備える執務空間構成什器を示す斜視図である。
【図２】図１のII−II線拡大横断平面図である。
【図３】配線カバー取付構造の構成要素を示す分解斜視図である。
【図４】取付溝の開口と取付板の切欠きによって形成される係合孔を示す拡大正面図である。
【図５】図２のV−V線縦断正面図である。
【発明を実施するための形態】
【００１９】
図１は、本発明の配線カバー取付構造の一実施形態を備える執務空間構成什器示す斜視図である。ここでは、本発明を執務空間構成什器に適用した場合について説明するが、本発明は執務空間構成什器に限らず、各種の什器等に適用できる。
【００２０】
執務空間構成什器１は、デスク、テーブル(いずれも図示せず)等の什器の間に配置され、オフィスの広い執務空間内を空間的に区画するものである。この執務空間構成什器１は、床面に立設した複数個、本実施形態では４本の支柱２と、互いに隣接している支柱２、２同士の上部間を連結する連結杆３とによって構成されている。上記４本の支柱２のうち一部の支柱２には、配線カバー４が取付けられている。なお、配線カバー４は、全ての支柱２に取付けることができる。
【００２１】
図２に示すように、支柱２はその断面がほぼ正方形に形成されている。支柱２の中心部には、中心軸線に沿って延びる断面ほぼ正方形の内部空洞５が設けられている。また、支柱２の各側面６には、上下方向を向く蟻溝状の取付溝７が設けられている。取付溝７の奥部の溝幅Ｂ１は、その開口８の幅Ｂ２より大である。この取付溝７の奥部は、その断面が支柱の側面６に沿うほぼ長方形状に形成され、溝底部には浅目の凹状９が設けられている。
【００２２】
配線カバー4を取付けるべき被取付面２ａである支柱2の側面６に設けられた取付溝７の奥部には、取付板１０が挿入される。この取付板１０は、図３に示すように、支柱２の取付溝７の溝幅Ｂ１より小、かつ開口８の幅Ｂ２より大となる幅Ｂ３(Ｂ１＞Ｂ３＞Ｂ２)で長尺に形成されている。取付板１０には、両側縁より互いに内方をむく１対の切欠き１１、１１が設けられている。これらの切欠き１１は、上下方向に適宜の間隔を開けて複数設けられている。また、切欠き１１の上端縁１１ａは、外側に向けて上り傾斜となるように形成され、下端縁１１ｂはほぼ水平に形成されている。
【００２３】
取付板１０の上下の端部には、ねじ孔１２が設けられている。後述のように、このねじ孔１２、１２には固定ねじ１３が螺入され、固定ねじ１３の先端が取付溝７の底面に圧接することにより、取付板１０は取付溝７の内面に圧接されて止着されている。固定ねじ１３の頭部１３ａの外径は、取付溝７の開口８の幅Ｂ２とほぼ同一か、又はわずかに小としてある。
【００２４】
取付板１０には、上側のねじ孔１２より少し下側に位置させて逆Ｌ字状の上部カバー連結具１４が設けられている。この上部カバー連結具１４は、垂直片１４ａと水平片１４ｂとを有している。そして、その垂直片１４ａがねじ１５によって取付板１０に取付けられている。この上部カバー連結具１４の水平片１４ｂには、ねじ孔１６が設けられている。さらに、取付板１０の上端には、取付板１０をほぼ９０度に折曲形成した係止片１０ａが設けられている。
【００２５】
取付板１０は、支柱２の下端に設けられた下部受け材１７によっても支持されている。この下部受け材１７は、支柱２の側面６に当接する幅広の基部１７ａと、この基部１７ａの上端から上方に延びる側面視ほぼＬ字状の受け部１７ｂとを有している。基部１７ａは、ねじ１８によって支柱２に取付けられている。受け部１７ｂは、比較的幅が狭く形成され、支柱２の取付溝７に挿入されている。この受け部１７ｂによって、取付板１０の下端が支持されている。
【００２６】
取付板１０には、配線カバー４が取り付けられている。この配線カバー４は断面コ字状で長尺に形成され、その内側に配線挿通空間４ａ(図２参照)が形成されている。配線カバー４の両側の内側面には、下向鈎型の係止片１９ａを有する係止部材１９(片側のみ図示)が設けられている。係止部材１９の係止片１９ａの下端部と配線カバー４の後縁４ｂとの間には、隙間ｄが設けられている。配線カバー４の上端部の内側面には、配線カバー４の上端縁から突出するガイド部材２０、２０が設けられている。
【００２７】
配線カバー４の上端には、配線カバー４と同形状をなしガイド部材２０、２０に嵌合される上部カバー２１が設けられている。この上部カバー２１の内側中央部には、後方を向く平面視台形状の水平片２２が設けられている。この水平片２２には、空孔２３が設けられている。上部カバー２１は、空孔２３に挿通したねじ２４をねじ孔１６に螺締することによって、取付板１０の上部カバー連結具１４に取り付けられている。
【００２８】
次に、配線カバー４を支柱２に取付ける手順を説明する。まず、支柱２の下端に下部受け材１７を取付ける。次に、支柱２の取付溝７内に取付板１０を挿入する。このとき、取付板１０の上端の係止片１０ａが、取付溝７の上端縁に係止されて取付板１０の上下の位置決めが自動的に行われる。取付板１０の下端は、下部受け材１７によって支持される。
【００２９】
次に、図２に示すように、取付溝７の開口８から取付板１０のねじ孔１２に固定ねじ１３を螺入する。固定ねじ１３は、上記のようにその頭部１３ａの外径が取付溝７の開口８の幅Ｂ２とほぼ同一か、または僅かに小さいものを使用する。この固定ねじ１３をねじ孔１２に螺入したまま回転させると、固定ねじ１３の先端が取付溝７の底面に圧接されるとともに、取付板１０の両側部が取付溝７における開口８の両側部の内側に圧接される。これによって、取付板１０は支柱２の取付溝７内に強固に止着される。また、取付板１０と取付溝７の底面との間に、空間２４が形成される。
【００３０】
このとき、固定ねじ１３の頭部１３ａは開口８内に収容される。頭部１３ａと開口８の側面との間には、隙間が殆んどないか或いは隙間があっても非常に小さいため、図４に示すように、取付板１０の中心軸線が開口８の中心軸線とほぼ整合する。これにより、取付板１０の両側における切欠き１１の内側の部分が開口８から露呈し、開口８の両側縁と切欠き１１とによって縦長の係合孔２５が形成される。
【００３１】
このようにして、取付板１０を取付溝７に止着した後、取付板１０に配線カバー４を取り付ける。この場合は、図５に示すように、配線カバー４の両側の係止片１９ａ、１９ａを取付溝７の開口８より係合孔２５、２５を通して、取付板１０の裏側の空間２４まで挿入し、配線カバー４を降下させる。すると、配線カバー４の両側の係止片１９ａ、１９ａと配線カバー４の側端縁４ｂとの間の隙間ｄに係合孔２５、２５の下端縁すなわち切欠き１１、１１の下端縁１１ｂ、１１ｂが挿入される。これにより、配線カバー４の係止片１９ａ，１９ａが、係合孔２５、２５の下端縁に嵌合係止され、配線カバー４は取付板１０に強固に、かつ安定的に取付けられる。
【００３２】
本発明の配線カバー取付構造によれば、支柱２の取付溝７に取付板１０を支着し、配線カバー４の下向鈎型の係止片１９ａを取付板１０の切欠き１１と取付溝７の開口８とによって形成される係合孔２５を通して、取付板１０の裏側の空間２４まで嵌合し、この係止片１９ａを係合孔２５の下端縁に嵌合係止させるという簡単な構成で、配線カバー４を支柱２の被取付面２ａに強固に、かつ安定的に取り付けることができる。従って、構成を簡略化できる。また、支柱２及び被取付面２ａに配線カバー４を取り付けるための特別な加工を施す必要がないので、加工工数及びコストを低減できるとともに、配線カバー４の取付、取り外しのいずれの状態においても体裁をよくすることができる。
【００３３】
また、取付板１０の両側に切欠き１１、１１を設け、これらの切欠き１１、１１と取付溝７の開口８によって形成される両側の係合孔２５、２５に、配線カバー４の両側に設けた係止片１９ａ、１９ａを嵌合係止するので、より安定的に配線カバー４を什器等の被取付面２ａに取り付けることができるとともに、取付板１０の加工を簡略化することができる。
【００３４】
また、固定ねじ１３の頭部１３ａの外径を、取付溝７の開口８とほぼ同一か、又は僅かに小としたので、取付溝７内における取付板１０の幅方向の位置決めを固定ねじ１３の取付によって簡単に行うことができ、取付板１０を取付溝７に取り付けるに際して施工性を良好にできる。さらに、取付板１０の上端に設けた係止片１０ａを、什器等における取付溝７の上端の開口縁に係止させるだけで、取付板１０の上下方向の位置決めを簡単に行うことができるので、施工性がさらに向上する。
【符号の説明】
【００３５】
１  執務空間構成什器
２  支柱
３  連結杆
４  配線カバー
４ａ  配線挿通空間
４ｂ  後縁
５  内部空洞
６  側面
７  取付溝
８  開口
９  凹条
１０  取付板
１０ａ  係止片
１１  切欠き
１１ａ  上端縁
１１ｂ  下端縁
１２、１６  ねじ孔
１３  固定ねじ
１３ａ  頭部
１４  上部カバー連結具
１４ａ  垂直片
１４ｂ  水平片
１５、１８  ねじ
１７  下部受け材
１７ａ  基部
１７ｂ  受け部
１９  係止部材
１９ａ  係止片
２０  ガイド部材
２１  上部カバー
２２  水平片
２３  空孔
２４  空間
２５  係合孔
【図１】
2011151907.tif 000003
【図２】
2011151907.tif 000004
【図３】
2011151907.tif 000005
【図４】
2011151907.tif 000006
【図５】
2011151907.tif 000007